(57)【要約】      （修正有）【課題】攪拌手段の角度が調節可能であり、攪拌を均一にすると共にエネルギーの出力を可及的に削減する、夾角調節可能な反応器の攪拌装置を提供する。【解決手段】夾角調節可能な反応器の攪拌装置は、筐体、駆動モータ、駆動軸３００、攪拌手段、薬剤タンク及び濾過タンクを含む。攪拌手段は、第一攪拌部４１０、第二攪拌部４２０、調節ロッド４３０及び調節ブロック４４０を含む。第一攪拌部４１０が駆動軸３００に回転可能に接続され、第一攪拌部４１０の回転軸線が駆動軸３００の回転軸線と垂直しており、第二攪拌部４２０は、第一攪拌部４１０に回転可能に接続され、その回転軸線が第一攪拌部４１０の回転軸線と垂直しており、調節ブロック４４０が第二攪拌部４２０に螺合接続され、調節ロッド４３０は、その第一端が調節ブロック４４０に回転可能に接続され、その第二端が駆動軸３００に回転可能に接続され、回転軸線が第一攪拌部４１０の回転軸線と平行する。【選択図】図３
0003230967.tif 000002
【実用新案登録請求の範囲】
【請求項１】
攪拌室、供給口、液体出力口及び液体入力口を含む筐体と、
前記筐体に取り付けられる駆動モータと、
前記駆動モータの出力端に取り付けられ、前記筐体内に延伸する駆動軸と、
第一攪拌部、第二攪拌部、調節ロッド及び調節ブロックを含む攪拌手段であって、前記第一攪拌部は、前記駆動軸に回転可能に接続され、回転軸線が前記駆動軸の回転軸線と垂直しており、前記第二攪拌部は、前記第一攪拌部に回転可能に接続され、回転軸線が前記第一攪拌部の回転軸線と垂直しており、前記調節ブロックは、前記第二攪拌部に螺合接続され、前記調節ロッドは、その第一端が前記調節ブロックに回転可能に接続され、その第二端が前記駆動軸に回転可能に接続され、回転軸線が前記第一攪拌部の回転軸線と平行する、攪拌手段と、
前記筐体の先端部に取り付けられ、前記供給口を介して前記攪拌室に連通される薬剤タンクと、
前記液体出力口を介して前記攪拌室に連通される濾過タンクと、を含む、ことを特徴とする、夾角調節可能な反応器の攪拌装置。
【請求項２】
前記第二攪拌部に摺動溝が設置され、前記摺動溝内にネジロッドが設置され、前記ネジロッドと前記第二攪拌部の回転軸線とが同軸するように設置され、前記調節ロッドが前記摺動溝に係合され、前記調節ブロックと前記ネジロッドとが螺合接続される、ことを特徴とする、請求項1に記載の夾角調節可能な反応器の攪拌装置。
【請求項３】
前記ネジロッドのネジは、右ネジとされる、ことを特徴とする、請求項２に記載の夾角調節可能な反応器の攪拌装置。
【考案の詳細な説明】
【技術分野】
【０００１】
本考案は、攪拌装置の技術分野に関し、特に、夾角調節可能な反応器の攪拌装置に関する。
【背景技術】
【０００２】
廃水の処理は、すでに、世界的な課題になってきた。効率が高く、コストが低い汚水処理装置を研究することは、重要な意義が存在している。これは、現在の業界が直面している困難な状況から抜き出すこと、水環境を保護すること、化学工業を健全に発展させることなどに対して、重要な影響があり、従来の攪拌装置は、その攪拌の構成がいずれも固定して設置されていることから、一般的な体積の汚水処理に適用され得るものの、異なる体積の汚水を処理する場合に、例えば、汚水量が比較的大きいと、その攪拌が十分に均一ではなく、汚水量が比較的小さいと、その回転が速過ぎ、エネルギーを無駄にするおそれがある。
【考案の概要】
【考案が解決しようとする課題】
【０００３】
本考案の解決しようとする課題は、上記の問題を解決するために、夾角調節可能な反応器の攪拌装置を提供する。
【課題を解決するための手段】
【０００４】
上記した課題を解決するための本考案の技術的手段は、上記の目的に基づいてなされたものである。
本考案が開示する夾角調節可能な反応器の攪拌装置は、攪拌室、供給口、液体出力口及び液体入力口を含む筐体と、前記筐体に取り付けられる駆動モータと、前記駆動モータの出力端に取り付けられ、前記筐体内に延伸する駆動軸と、第一攪拌部、第二攪拌部、調節ロッド及び調節ブロックを含む攪拌手段であって、前記第一攪拌部は、前記駆動軸に回転可能に接続され、回転軸線が前記駆動軸の回転軸線と垂直しており、前記第二攪拌部は、前記第一攪拌部に回転可能に接続され、回転軸線が前記第一攪拌部の回転軸線と垂直しており、前記調節ブロックは、前記第二攪拌部に螺合接続され、前記調節ロッドは、その第一端が前記調節ブロックに回転可能に接続され、その第二端が前記駆動軸に回転可能に接続され、回転軸線が前記第一攪拌部の回転軸線と平行する、攪拌手段と、前記筐体の先端部に取り付けられ、前記供給口を介して前記攪拌室に連通される薬剤タンクと、前記液体出力口を介して前記攪拌室に連通される濾過タンクと、を含む。
【０００５】
本実施例のいくつかの実施形態には、前記攪拌手段は、前記駆動軸に回転可能に接続され、出力端が前記調節ロッドに回転可能に接続される油圧シリンダーをさらに含む。
【考案の効果】
【０００６】
従来技術に比べると、本考案による有益な効果は、本考案が開示した夾角調節可能な反応器の攪拌装置において、攪拌手段の角度が調節可能であり、異なる体積の汚水への処理を便宜にして、攪拌を均一にすると共にエネルギーの出力を可及的に削減することが保証される。
【図面の簡単な説明】
【０００７】
【図１】本考案の実施例１が開示する夾角調節可能な反応器の攪拌装置を示す模式図である。
【図２】本考案の実施例が開示する筐体を示す模式図である。
【図３】本考案の実施例が開示する攪拌手段を示す模式図である。
【図４】本考案の実施例が開示する第二攪拌部を示す正面図である。
【図５】本考案の実施例が開示する第二攪拌部を示す平面図である。
【図６】本考案の実施例が開示する第二攪拌部を示す側面図である。
【図７】本考案の実施例が開示する駆動軸を示す模式図である。
【考案を実施するための形態】
【０００８】
実施例
図１乃至図７を参照すると、本考案の実施例が開示する夾角調節可能な反応器の攪拌装置は、筐体１００、駆動モータ２００、駆動軸３００、攪拌手段４００、薬剤タンク５００及び濾過タンク６００を含む。
【０００９】
筐体１００は、攪拌室１１０、供給口１２０、液体出力口１３０及び液体入力口１４０を含む。駆動モータ２００が筐体１００に取り付けられ、駆動軸３００が駆動モータ２００の出力端に取り付けられ、駆動軸３００が筐体１００内に延伸し、薬剤タンク５００が筐体１００の先端部に取り付けられ、薬剤タンク５００が供給口１２０を介して攪拌室１１０に連通され、濾過タンク６００が液体出力口１３０を介して攪拌室１１０に連通される。
【００１０】
攪拌手段４００は、第一攪拌部４１０、第二攪拌部４２０、調節ロッド４３０及び調節ブロック４４０を含む。第一攪拌部４１０が駆動軸３００に回転可能に接続され、第一攪拌部４１０の回転軸線が駆動軸３００の回転軸線と垂直しており、第二攪拌部４２０は、第一攪拌部４１０に回転可能に接続され、その回転軸線が第一攪拌部４１０の回転軸線と垂直しており、調節ブロック４４０が第二攪拌部４２０に螺合接続され、調節ロッド４３０は、その第一端が調節ブロック４４０に回転可能に接続され、その第二端が駆動軸３００に回転可能に接続され、回転軸線が第一攪拌部４１０の回転軸線と平行する。
【００１１】
本実施例が開示する夾角調節可能な反応器の攪拌装置には、攪拌手段４００の角度が調節可能であり、異なる体積の汚水への処理を簡便にして、攪拌を均一にすると共にエネルギーの出力を可及的に削減することが保証される。汚水の体積が比較的大きい場合には、調節ロッド４３０と第二攪拌部４２０とを共に上向きに回転すると共に、第二攪拌部４２０についてその延伸方向を変化させることにより、汚水と薬液とをより均一に攪拌することができる。汚水の体積が比較的小さい場合には、調節ロッド４３０と第二攪拌部４２０とを共に下向きに回転することにより、駆動モータ２００によるエネルギーの消費を削減することができる。
【００１２】
本実施例が開示する夾角調節可能な反応器の攪拌装置は、調節が必要となる際に、油圧シリンダー４５０により制御され、油圧シリンダー４５０が伸長すると、調節ロッド４３０と第二攪拌部４２０とが下向きに回転するように連動し、調節ロッド４３０と第二攪拌部４２０との長さが変化しないことから、調節ロッド４３０と第二攪拌部４２０との角度が変化すると、調節ブロック４４０が、第二調節部に対して合わせて摺動し、調節ブロック４４０がネジロッド４２２に対する摺動すると、調節ブロック４４０自体が調節ロッド４３０の制限により回転することはない。そして、ネジロッド４２２は、調節ブロック４４０に対して回転し、この時に、第二攪拌部４２０が第一攪拌部４１０に対して回転するように連動することにより、回転する際の第二攪拌部４２０の延伸方向を変化させることができる。
【００１３】
本実施例の幾つかの実施形態では、攪拌手段４００は、油圧シリンダー４５０をさらに含み、油圧シリンダー４５０は、駆動軸３００に回転可能に接続され、その出力端が調節ロッド４３０に回転可能に接続される。油圧シリンダー４５０により、第一攪拌部４１０と第二攪拌部４２０との角度調節の正確性が実現でき、このような調整・制御がより簡便にされると共に、油圧シリンダー４５０と調節ロッド４３０とが駆動軸３００と共に回転する際に、ある程度で攪拌の作用をも図ることができる。
【００１４】
本実施例の幾つかの実施形態では、第二攪拌部４２０がシート状とされ、第二攪拌部４２０の一方側の厚さは、他方側の厚さよりも小さい。
【００１５】
そして、第二攪拌部４２０は、その回転が延伸方向を変えた場合に、汚水に対する第二攪拌部４２０の作用力を増加し、つまり、第二攪拌部４２０が時計回りに回転すると、第二攪拌により形成した上向きの押力を大きくすることにより、下部の汚水を上向きに運動して薬液に混合する一方、第二攪拌部４２０が反時計回りに回転すると、第二攪拌により形成した下向きの押力を大きくすることにより、上部の薬液を下向きに運動して筐体１００の底部に位置する汚水に速やかに混合する。
【００１６】
薬液は、筐体１００の先端部から添加され筐体１００に入ると、一般的に汚水の上面に位置することから、汚水量が比較的小さい場合に、汚水が攪拌手段４００よりも低い又は攪拌手段４００をちょっと過ぎた可能性があり、この時に薬液を下向きに運動させても汚水の底部まで到達し難しい。そして、汚水を上向きに運動して上方に位置する薬液に混合させることにより、その混合の効率がより高くなる。また、汚水量が比較的大きい場合には、汚水の攪拌手段４００を過ぎた高さが比較的大きく、即ち、攪拌手段４００から薬液の距離が一層に遠くなるため、この時に汚水が上向きに運動しても薬液を完全に溶解できない。従って、汚水を下向きに移動させることにより、上面の汚水が下向きに運動するように連動して、その混合の効率が向上する。
【００１７】
本実施例の幾つかの実施形態では、第二攪拌部４２０に摺動溝４２１が設置され、摺動溝４２１にネジロッド４２２が設置され、ネジロッド４２２と第二攪拌部４２０との回転軸線が同軸するように設置させ、調節ロッド４３０が摺動溝４２１に係合され、調節ブロック４４０とネジロッド４２２とが螺合接続され、摺動溝４２１を設置することにより調節ロッド４３０の移動を限定して、調節ロッド４３０の移動をより安定にすることができる。
【００１８】
本実施例の幾つかの実施形態では、ネジロッド４２２の螺紋が右ネジとされる。ネジの正方向回転は、時計回りに回転してねじ込まれるものが右ネジと称され、この場合に、調節ロッド４３０と第二攪拌部４２０とが下向きに回転すると、調節ブロック４４０が外側に移動に、この時に第二攪拌部４２０が時計回りに回転するように制御し、つまり、第二攪拌部４２０の切欠きを下向きに傾斜させることにより、汚水に上向きに動力をより大きくかけ、汚水と薬液との混合をより簡便にするこいとができる。汚水量が比較的小さい場合に、駆動モータ２００を短い時間で稼働させることにより、汚水と薬液との混合が完了するようにする。そして、エネルギーの消費が削減される。調節ロッド４３０と第二攪拌部４２０とが上向きに回転する時に、調節ブロック４４０が内側に移動すると、第二攪拌部４２０を反時計回りに回転させ、第二攪拌部４２０の切欠きを上向きに傾斜させることにより、汚水に動力を下向きにかけ、汚水量が比較的大きい場合に、当該動力により上方に位置する薬液を速やかに沈下させ、汚水と薬液の混合をより均一にすることができる。
【００１９】
本実施例の幾つかの実施形態では、調節ブロック４４０は、縦方向にその断面が円形であり、摺動溝４２１と調節ブロック４４０とがマッチングされる。そうすると、調節ブロック４４０が第二攪拌部４２０に対して移動する場合に、第二攪拌部４２０が順調に調節ブロック４４０に対する回転することを保証することができる。
【００２０】
本実施例の幾つかの実施形態では、第二攪拌部４２０に二つのシールベルト４２３及び二つのねじりばね４２４がさらに設置され、二つのねじりばね４２４がそれぞれ摺動溝４２１の両端に位置し、シールベルト４２３は、その一端が調節ブロック４４０に接続され、その他端がねじりばね４２４に接続される。ねじりばね４２４により、シールベルト４２３にねじりばね４２４へ巻き取る傾向を有させる。シールベルト４２３は、摺動溝４２１の溝口とマッチングし、摺動溝４２１を攪拌室１１０から遮断する。
【００２１】
二つのシールベルト４２３は、それぞれ、調節ブロック４４０の両側に接続され、摺動溝４２１を密封することにより、ネジロッド４２２及び調節ブロック４４０に位置する雌ねじに対する汚水の腐食を避けることができる。調節を行う場合には、調節ブロック４４０がそのうちの一つのねじりばね４２４に向けて近づくと、一方側に位置するシールベルト４２３が当該ねじりばね４２４を段々に巻き取られることにより、皺や隙間を避け、他方側に位置するねじりばね４２４が当該調節ブロック４４０の引張により、シールベルト４２３をねじりばね４２４から退避させることができる。ねじりばね４２４を設置することは、シールベルト４２３を常に引張の状態にして、良い密封性を形成することができる。
【００２２】
本実施例の幾つかの実施形態では、駆動軸３００に第一取り付け溝３１０、第二取り付け溝３２０及び第三取り付け溝３３０が設置され、第一攪拌部４１０が第一取り付け溝３１０に取り付けられ、油圧シリンダー４５０が第二取り付け溝３２０に取り付けられ、調節ロッド４３０が第三取り付け溝３３０に取り付けられる。第一取り付け溝３１０、第二取り付け溝３２０及び第三取り付け溝３３０によると、第一攪拌部４１０、油圧シリンダー４５０及び調節ロッド４３０の取り付けと回転を便宜にすることができる。
【００２３】
本実施例の幾つかの実施形態では、駆動軸３００に通路３４０が設置され、油圧シリンダー４５０の管路が通路３４０に位置する。通路３４０を設置すると、管路を便宜に設置することができる。管路は、駆動軸３００から通り抜けて油圧シリンダー４５０に接続される際に、管路と駆動軸３００との間に密封構成が設置される。
【００２４】
本実施例の幾つかの実施形態では、夾角調節可能な反応器の攪拌装置は、補助攪拌棒７００をさらに含み、補助攪拌棒７００は、筐体１００の底部に位置し、補助攪拌棒７００が筐体１００の底部に傾斜するように設置され、補助攪拌棒７００の一方側が他方側よりも高い。補助攪拌棒７００は、回転する際に、汚水に上向きの押力をかけ、攪拌手段４００と組み合わせると、汚水と薬液との混合速度を向上させることができる。
【符号の説明】
【００２５】
１００    筐体
１１０    攪拌室
１２０    供給口
１３０    液体出力口
４０    液体入力口
２００    駆動モータ
３００    駆動軸
３１０    第一取り付け溝
３２０    第二取り付け溝
３３０    第三取り付け溝
３４０    通路
４００    攪拌手段
４１０    第一攪拌部
４２０    第二攪拌部
４２１    摺動溝
４２２    ネジロッド
４２３    シールベルト
４２４    ねじりばね
４３０    調節ロッド
４４０    調節ブロック
４５０    油圧シリンダー
５００    薬剤タンク
６００    濾過タンク
７００    補助攪拌棒
【図１】
0003230967.tif 000003
【図２】
0003230967.tif 000004
【図３】
0003230967.tif 000005
【図４】
0003230967.tif 000006
【図５】
0003230967.tif 000007
【図６】
0003230967.tif 000008
【図７】
0003230967.tif 000009